(57)【特許請求の範囲】
【請求項１】
外部から電線が挿入される複数の電線挿入孔及び外部から螺子が挿入される少なくとも１つの螺子挿入孔を有する箱状の筐体と、
前記筐体の前面から外部に突出した操作つまみと、
前記筐体の内部に収容されたプリント基板に電気的に接続され、前記操作つまみの操作量に応じて照明負荷の光出力を調節する調光回路を構成する複数の回路素子と、
前記プリント基板に電気的に接続された複数の接続端子と、
を備え、前記螺子にて前記電線が前記接続端子に押圧されることにより、前記複数の接続端子間に、前記電線を介して前記照明負荷と電源との直列回路が接続される調光器であって、
前記電線挿入孔は、前記筐体の背面及び前記筐体の下面の何れか一方の面に形成され、
前記螺子挿入孔は、前記筐体の背面及び前記筐体の下面の何れか他方の面に形成されたことを特徴とする調光器。
【請求項２】
外部から電線が挿入される複数の電線挿入孔及び外部から螺子が挿入される少なくとも１つの螺子挿入孔を有する箱状の筐体と、
前記筐体の前面から外部に突出した操作つまみと、
前記筐体の内部に収容されたプリント基板に電気的に接続され、前記操作つまみの操作量に応じて照明負荷の光出力を調節する調光回路を構成する複数の回路素子と、
前記プリント基板に電気的に接続されるとともに四角筒状をなし、前記電線挿入孔から前記筐体内に挿入された前記電線がそれぞれ挿入される複数の接続端子と、
を備え、前記螺子にて前記電線が前記接続端子に押圧されることにより、前記複数の接続端子間に、前記電線を介して前記照明負荷と電源との直列回路が接続される調光器であって、
前記電線挿入孔は、前記筐体の背面及び前記筐体の下面の何れか一方の面に形成されるとともに、前記接続端子の一端開口部よりも大きく且つ前記接続端子の一端開口部の形状に応じて隅丸四角形状に形成され、
前記螺子挿入孔は、前記筐体の背面及び前記筐体の下面の何れか他方の面に形成されたことを特徴とする調光器。
【請求項３】
請求項２に記載の調光器において、
前記電線挿入孔は、前記電線の外周を被覆する絶縁被膜とともに該電線を挿入可能な大きさであることを特徴とする調光器。
【発明の詳細な説明】
【技術分野】
【０００１】
本発明は、照明負荷の光出力を調節する調光器に関するものである。
【背景技術】
【０００２】
従来、商用電源のような交流電源と照明負荷との間に介在されて照明負荷の光出力を調節する調光器としては、例えば特許文献１に記載されたものがある。この調光器は、略直方体の箱状をなす筐体の内部に、照明負荷の光出力を調節するための調光回路を構成する複数の回路素子を備えた回路ブロックを収容して構成されている。回路ブロックは、調光回路に接続された一対の接続端子を備えており、筐体に設けられた２つの電線挿入孔からそれぞれ挿入された電線が接続端子にそれぞれ接続されることにより、当該電線によって、照明負荷と交流電源との直列回路が一対の接続端子間に接続される。
【０００３】
一般的に、接続端子に接続される電線が単線である場合には、特許文献１に記載された調光器のように、電線挿入孔から筐体の内部に挿入された電線の先端部は、板ばね等によって押圧されることにより接続端子に接続されることが可能である。一方、接続端子に接続される電線が、複数の導線を束ねて形成された縒り線である場合には、電線挿入孔から筐体の内部に挿入された電線の先端部は、螺子止めにて接続端子に接続されることが望ましい。
【０００４】
ところで、螺子止めにて電線の先端部を接続端子に接続する場合には、外部から螺子を挿入するための螺子挿入孔を筐体に設ける必要がある。ここで、図８に、螺子挿入孔を有する調光器１０１の斜視図を示す。調光器１０１は、前面に化粧プレート１０２が取着された取付枠１０３に固定されるとともに、調光器１０１の筐体１０４は、中空の略直方体状をなしている。そして、筐体１０４の背面に２つの電線挿入孔１０５が形成されるとともに、同筐体１０４の上面に２つの螺子挿入孔１０８が形成されている。電線挿入孔１０５から筐体内に挿入された電線１０６の先端部は、螺子挿入孔１０８から筐体１０４内に挿入された螺子にて同筐体１０４内の接続端子（図示略）に向けて押圧されることにより該接続端子に接続される。
【特許文献１】特開２００２−８４３１号公報
【発明の開示】
【発明が解決しようとする課題】
【０００５】
しかしながら、図８に示す例のように、螺子挿入孔１０８が筐体１０４の上面に設けられていると、金属製の異物や塵埃等が螺子挿入孔１０８から筐体１０４の内部に侵入し易いという問題がある。そして、筐体１０４内に塵埃等の異物が入ると、調光回路が異物にて短絡される等の不具合が生じる虞がある。
【０００６】
本発明は、こうした実情に鑑みてなされたものであって、その目的は、筐体内への異物の侵入を抑制することができる調光器を提供することにある。
【課題を解決するための手段】
【０００７】
上記課題を解決するため、請求項１に記載の発明は、外部から電線が挿入される複数の電線挿入孔及び外部から螺子が挿入される少なくとも１つの螺子挿入孔を有する箱状の筐体と、前記筐体の前面から外部に突出した操作つまみと、前記筐体の内部に収容されたプリント基板に電気的に接続され、前記操作つまみの操作量に応じて照明負荷の光出力を調節する調光回路を構成する複数の回路素子と、前記プリント基板に電気的に接続された複数の接続端子と、を備え、前記螺子にて前記電線が前記接続端子に押圧されることにより、前記一対の接続端子間に、前記電線を介して前記照明負荷と電源との直列回路が接続される調光器であって、前記電線挿入孔は、前記筐体の背面及び前記筐体の下面の何れか一方の面に形成され、前記螺子挿入孔は、前記筐体の背面及び前記筐体の下面の何れか他方の面に形成されたことをその要旨としている。
【０００８】
同構成によれば、筐体の内部と外部とを連通することになる電線挿入孔及び螺子挿入孔は、筐体の背面若しくは筐体の下面に形成されている。従って、電線挿入孔及び螺子挿入孔から筐体の内部へ塵埃等の異物が侵入し難くなる。即ち、筐体内への異物の侵入を抑制することができる。
【０００９】
請求項２に記載の発明は、外部から電線が挿入される複数の電線挿入孔及び外部から螺子が挿入される少なくとも１つの螺子挿入孔を有する箱状の筐体と、前記筐体の前面から外部に突出した操作つまみと、前記筐体の内部に収容されたプリント基板に電気的に接続され、前記操作つまみの操作量に応じて照明負荷の光出力を調節する調光回路を構成する複数の回路素子と、前記プリント基板に電気的に接続されるとともに四角筒状をなし、前記電線挿入孔から前記筐体内に挿入された前記電線がそれぞれ挿入される複数の接続端子と、を備え、前記螺子にて前記電線が前記接続端子に押圧されることにより、前記複数の接続端子間に、前記電線を介して前記照明負荷と電源との直列回路が接続される調光器であって、前記電線挿入孔は、前記筐体の背面及び前記筐体の下面の何れか一方の面に形成されるとともに、前記接続端子の一端開口部よりも大きく且つ前記接続端子の一端開口部の形状に応じて隅丸四角形状に形成され、前記螺子挿入孔は、前記筐体の背面及び前記筐体の下面の何れか他方の面に形成されたことをその要旨としている。
【００１０】
同構成によれば、筐体の内部と外部とを連通することになる電線挿入孔及び螺子挿入孔は、筐体の背面若しくは筐体の下面に形成されている。従って、電線挿入孔及び螺子挿入孔から筐体の内部へ塵埃等の異物が侵入し難くなる。即ち、筐体内への異物の侵入を抑制することができる。また、電線挿入孔は、接続端子の一端開口部よりも大きく形成されているため、該電線挿入孔から接続端子の端面が露出する。従って、接続端子を視認しつつ電線挿入孔から接続端子内に電線を挿入することができるため、接続端子内に電線を確実に挿入することが可能となり、接続端子と電線との電気的な接続の信頼性が向上する。また、電線が縒り線である場合には、縒り線を構成する全ての導線が接続端子内に収容されたか否かを目視により確認することができるため、縒り線を構成する導線の一部が接続端子からはみ出した状態となることを抑制することができる。更に、電線挿入孔は隅丸四角形状をなすため、その角部が円弧状をなしている。従って、この電線挿入孔の円弧状をなす角部に沿って同電線挿入孔内に電線を容易に挿入することができる。
【００１１】
請求項３に記載の発明は、請求項２に記載の調光器において、前記電線挿入孔は、前記電線の外周を被覆する絶縁被膜とともに該電線を挿入可能な大きさであることをその要旨としている。
【００１２】
同構成によれば、電線挿入孔は、絶縁被膜ごと電線を挿入可能な大きさであるため、電線の先端部において絶縁被膜が除去された部分の長さが短い場合であっても、電線の先端部を、電線挿入孔を介して接続端子内に十分に挿入することが可能となる。従って、電線と接続端子との接続不良を低減させることができる。
【発明の効果】
【００１３】
本発明によれば、筐体内への異物の侵入を抑制可能な調光器を提供することができる。
【発明を実施するための最良の形態】
【００１４】
以下、本発明を具体化した一実施形態を図面に従って説明する。
図１及び図２に示すように、３個の調光器１は、埋込型の配線器具用の取付枠２に固定されるとともに、その幅方向（短手方向であって図１及び図２においては左右方向に同じ）に連接されている。略長方形の板状をなす取付枠２は、その中央部に長方形の開口窓２ａが形成されるとともに、この開口窓２ａから３個の調光器１の前面が露出している。また、この取付枠２の前面には、長方形の板状をなし中央部に長方形の露出孔３ａが形成された化粧プレート３が取着されるとともに、３個の調光器１の前面は露出孔３ａから露出している。
【００１５】
図３に示すように、各調光器１を構成する箱状の筐体１１は、熱硬化性合成樹脂材料よりなるとともに、後方側に配置されるボディ１２と、該ボディ１２の前側に固定されるカバー１３とから構成されている。
【００１６】
ボディ１２は、前方側が開口した略直方体の箱状をなすとともに、該ボディ１２の幅方向の両側の２つの側壁２１ａ，２１ｂの前端には、各側壁２１ａ，２１ｂの上下方向の中央部よりもやや下方となる位置に、四角形の板状をなす係合凸部２２，２３が前方側に向かって突出形成されている。また、ボディ１２の上側と下側の２つの側壁２１ｃ，２１ｄには、前方寄りの部位に長方形状の係合孔２４，２５がそれぞれ形成されている。
【００１７】
また、図５（ａ）に示すように、ボディ１２の底部（背面）２６における下方の部位には、部分的に前方側に突出された上げ底部２６ａが形成されるとともに、該上げ底部２６ａには、ボディ１２の幅方向に並ぶ一対の電線挿入孔２７が形成されている。更に、図５（ｂ）に示すように、ボディ１２の下側の側壁（下面）２１ｄには、上げ底部２６ａ寄りの部位に、螺子挿入孔２８が形成されるとともに、該螺子挿入孔２８は、ボディ１２を下側から見た場合の形状が長方形状をなしている。
【００１８】
図３に示すように、前記カバー１３は、後方側が開口した略直方体の箱状をなすとともに、該カバー１３の幅方向の両側の側壁３１ａ，３１ｂの後端部には、各側壁３１ａ，３１ｂの上下方向の中央部よりもやや下方となる位置に、前記係合凸部２２，２３が係合される係合凹部３２，３３がそれぞれ形成されている。各係合凹部３２，３３は、係合凸部２２，２３に応じて矩形状に凹設されている。また、図３及び図４（ｂ）に示すように、カバー１３の上側と下側の２つの側壁３１ｃ，３１ｄには、その幅方向の中央部から後方側に向かって延びる係合爪３４，３５がそれぞれ形成されている。上側の側壁３１ｃに形成された係合爪３４の先端部には、上方に突出し前記係合孔２４に係合される係合突起３４ａが形成されるとともに、下側の側壁３１ｄに形成された係合爪３５の３５の先端部には、下方に突出し前記係合孔２５に係合される係合突起３５ａが形成されている。更に、カバー１３の底部３６中央には、円形状の操作孔３７が形成されている。
【００１９】
このようなカバー１３は、その開口部と前記ボディ１２の開口部とを対向させた状態で、各係合爪３４，３５の係合突起３４ａ，３５ａをボディ１２の係合孔２４，２５にそれぞれスナップフィット係合させることにより、ボディ１２の開口部に固定される。尚、ボディ１２にカバー１３が固定された状態においては、係合凹部３２，３３に係合凸部２２，２３がそれぞれ係合されており、これによりボディ１２に対するカバー１３のがたつきが抑制されている（図４（ａ）参照）。また、係合凸部２２，２３は、側壁２１ａ，２１ｂの上下方向の中央部から変位した位置に形成されるとともに、係合凹部３２，３３は、側壁３１ａ，３１ｂの上下方向の中央部から変位した位置に形成されているため、係合凹部３２，３３及び係合凸部２２，２３によって、ボディ１２に対するカバー１３の逆組みが防止されている。
【００２０】
図３に示すように、上記のような筐体１１内には、照明負荷としての白熱灯４１（図６参照）の光出力を調節する調光回路４２（図６参照）を構成する複数の回路素子を有する回路ブロック４３が収容されている。回路ブロック４３は、第１プリント基板５１及び第２プリント基板５２を備え、これら基板５１，５２に対し、前記複数の回路素子、即ち、可変抵抗器５３、トライアック５４、コイル５５、抵抗器５６、コンデンサ５７，５９及びダイアック５８等が実装されて構成されている（抵抗器５６、コンデンサ５７，５９及びダイアック５８については図６参照）。また、第１プリント基板５１には、コ字状に屈曲された放熱板６２が固定されるとともに、前記トライアック５４は該放熱板６２に固定されている。更に、第２プリント基板５２には、一対の接続端子６３，６４（図４（ｃ）及び図４（ｄ）参照）を保持する端子台６５が固定されている。
【００２１】
前記調光回路４２について説明すると、図６に示すように、一対の接続端子６３，６４間に、可変抵抗器５３内のスイッチ５３ａを介して、トライアック５４及びコイル５５が直列に接続されるとともに、トライアック５４と並列に、直列に接続された抵抗器５６、可変抵抗器５３及びコンデンサ５７が接続されている。また、可変抵抗器５３とコンデンサ５７との接続点と、トライアック５４のゲートとの間にダイアック５８が接続されるとともに、接続端子６３，６４間には、前記スイッチ５３ａを介してコンデンサ５９が接続されている。そして、一対の接続端子６３，６４間には、白熱灯４１と電源４４との直列回路が接続される。
【００２２】
また、図３に示すように、可変抵抗器５３の回動軸５３ｂには、有底円筒状の操作つまみ６７が一体回転可能に取着されている。この操作つまみ６７は、その直径が前記カバー１３に設けられた操作孔３７の内径よりも小さく形成されるとともに、該操作つまみ６７の開口部には、径方向外側に向かって延設されその外径が操作孔３７の内径よりも大きい鍔部６７ａが一体に形成されている。筐体１１内に収容された可変抵抗器５３の回動軸５３ｂに装着された操作つまみ６７は、前記操作孔３７から筐体１１の前方側に突出する（図４（ａ）参照）。そして、当該操作つまみ６７を回動させることにより、回動軸５３ｂが回転され、前記スイッチ５３ａ（図６参照）の開閉がなされるとともに、回動軸５３ｂの回動量（操作量）に応じて可変抵抗器５３の抵抗値が変化される。
【００２３】
図７（ａ）及び図７（ｂ）に示すように、略直方体状をなす前記端子台６５は、筐体１１内においてボディ１２の底部２６と平行に配置された第２プリント基板５２において、底部２６と対向する側の面に固定されている。詳述すると、端子台６５は、第２プリント基板５２において上げ底部２６ａと対向する部位に、該端子台６５の前面６５ａを当接させた状態で同第２プリント基板５２に固定されている。そして、端子台６５における上げ底部２６ａと対向する対向面６５ｂには、上方寄りの部位に一対の端子収容穴７１が形成されている。２つの端子収容穴７１は、ボディ１２の幅方向に並ぶように形成されて上げ底部２６ａ側に開口するとともに、ボディ１２の底部２６側から見た形状が四角形状をなしている（図４（ｃ）参照）。また、端子台６５において各端子収容穴７１の下側となる部位には、それぞれナット７２が埋設されるとともに、各ナット７２の上端面は、端子収容穴７１内に露出している。更に、端子台６５には、ボディ１２の下側の側壁２１ｄと対向する下面６５ｃから各端子収容穴７１に向かってナット７２まで延びる一対の螺子挿通孔７３が形成されている。この２つの螺子挿通孔７３は、ボディ１２の幅方向に並ぶように形成されるとともに、各螺子挿通孔７３は、ナット７２の螺子孔を介して各前記端子収容穴７１内に連通されている。
【００２４】
各端子収容穴７１内には、前記接続端子６３，６４がそれぞれ収容されている。各接続端子６３，６４は、導電性の金属製板材を屈曲して形成されており、四角筒状をなしている。また、各接続端子６３，６４の長さ（図７（ｂ）において左右方向の長さ）は、端子収容穴７１の深さよりも若干短く形成されている。そして、各接続端子６３，６４は、その外周面が各端子収容穴７１の内周面に当接するように各端子収容穴７１内に収容されるとともに、ナット７２の螺子孔に対応する部位に、該螺子孔の直径と略等しい直径を有する第１挿通孔６３ａ，６４ａがそれぞれ形成されている。尚、２つの接続端子６３，６４のうち、一方の接続端子６３は、第２プリント基板５２に電気的に接続されることにより可変抵抗器５３内のスイッチ５３ａに電気的に接続されるとともに、他方の接続端子６４は、第２プリント基板５２に電気的に接続されることによりコンデンサ５９及びコイル５５に電気的に接続されている（図６参照）。
【００２５】
また、各端子収容穴７１内には、押圧板８１がそれぞれ収容されている。各押圧板８１は、四角形の板状をなす固定部８１ａ及び押圧部８１ｂと、固定部８１ａ及び押圧部８１ｂを連結する連結部８１ｃとから構成されている。各固定部８１ａは、端子収容穴７１の内周面と、接続端子６３，６４の外周面にとによって挟持されるとともに、各固定部８１ａにおけるナット７２の螺子孔に対応する部位には、該螺子孔の直径と略等しい直径を有する第２挿通孔８１ｄが形成されている。各第２挿通孔８１ｄは、第１挿通孔６３ａ，６４ａとナット７２の螺子孔との間に配置されている。また、前記各押圧部８１ｂは、各接続端子６３，６４内において、各接続端子６３，６４における第１挿通孔６３ａ，６４ａの周囲を各固定部８１ａとともに挟むように配置されている。従って、図７（ｃ）に示すように、螺子挿通孔７３を通ってナット７２に螺合された螺子９１は、第２挿通孔８１ｄ及び第１挿通孔６３ａ，６４ａを通り、各接続端子６３，６４内に配置された押圧部８１ｂを、該螺子９１の先端面にて上方へ押し上げることが可能となっている。
【００２６】
図４（ｄ）に示すように、第２プリント基板５２とともに端子台６５が筐体１１内に収容された状態においては、各端子収容穴７１（各接続端子６３，６４）と、各電線挿入孔２７とが、ボディ１２の前後方向に隣り合っている。そして、各端子収容穴７１にそれぞれ収容された接続端子６３，６４の開口部が、ボディ１２の上げ底部２６ａに形成された２つの前記電線挿入孔２７から筐体１１の外部に露出するとともに、各端子収容穴７１は、各電線挿入孔２７を介して筐体１１の外部に連通されている。また、図４（ｂ）に示すように、同状態においては、各螺子挿通孔７３の下端開口部が、ボディ１２の下側の側壁２１ｄに形成された螺子挿入孔２８から筐体１１の外部に露出している。
【００２７】
ここで、前記電線挿入孔２７について詳述する。図４（ｄ）に示すように、２つの前記電線挿入孔２７は、上げ底部２６ａにおいてボディ１２内に収容される端子台６５の２つの端子収容穴７１にそれぞれ対応した位置に設けられている。そして、各電線挿入孔２７は、接続端子６３，６４における端子収容穴７１の開口部側の一端開口部（即ち接続端子６３，６４における端子収容穴７１の開口部側の端部の内周縁）よりも大きく形成されている。また、ボディ１２を底部２６側から見た場合の各電線挿入孔２７の形状は、各端子収容穴７１内に収容された接続端子６３，６４の開口部の形状に応じて四角形状に形成されている。本実施形態では、各電線挿入孔２７は、上げ底部２６ａの板厚方向から見た形状が、４つの角部が円弧状に形成された隅丸四角形状をなしている。更に、図７（ｃ）に示すように、本実施形態において、端子収容穴７１内に挿入される電線９２は、複数の導線を束にして形成された縒り線であるとともに、その外周が絶縁被膜９２ａにて被覆されている。そして、各電線挿入孔２７は、電線９２を絶縁被膜９２ａごと挿通可能な大きさとされている。
【００２８】
上記のように構成された調光器１は、図２に示すように、前記取付枠２に対し、ボディ１２に設けられた螺子挿入孔２８（図４（ｂ）参照）が下側を向くように、且つ、ボディ１２に設けられた電線挿入孔２７が後方を向くように固定される。これにより、３つの調光器１が左右方向に連接される。また、図７（ｃ）に示すように、各調光器１において、各電線挿入孔２７内に挿入された各電線９２の先端部（絶縁被膜９２ａが除去された部分）は、それぞれ端子収容穴７１内の接続端子６３，６４内に挿入される。そして、螺子挿入孔２８及び螺子挿通孔７３を通ってナット７２に螺合された螺子９１が回転されて上方へ移動されることにより、螺子９１によって、各電線９２の先端部は、押圧板８１の押圧部８１ｂを介して接続端子６３，６４の内周面に押圧される。これにより、各電線９２が接続端子６３，６４に電気的に接続され、電線９２を介して、接続端子６３，６４間に白熱灯４１と電源４４との直列回路が接続される（図６参照）。
【００２９】
また、図３及び図６に示すように、各調光器１においては、操作つまみ６７が時計方向に回動されることにより回動軸５３ｂが回動されて可変抵抗器５３内のスイッチ５３ａが閉成されると、回動軸５３ｂの回動量に応じて可変抵抗器５３の抵抗値が調整され、この抵抗値の変化に応じてコンデンサ５７の充電時間が調整される。そして、ダイアック５８を介してトライアック５４の導通が位相制御され、白熱灯４１に通電される電力量が制御されて白熱灯４１は調光制御される。一方、操作つまみ６１が反時計方向に最大限回動されると、白熱灯４１が消灯される。
【００３０】
上記したように、本実施形態によれば、以下の作用効果を有する。
（１）筐体１１の内部と外部とを連通することになる電線挿入孔２７は、筐体１１において該筐体１１の背面となる底部２６に形成されている。同じく筐体１１の内部と外部とを連通することになる螺子挿入孔２８は、筐体１１において該筐体１１の下面となる側壁２１ｄに形成されている。従って、電線挿入孔２７及び螺子挿入孔２８から筐体１１の内部へ塵埃等の異物が侵入し難くなる。即ち、筐体１１内への異物の侵入を抑制することができる。
【００３１】
（２）各電線挿入孔２７は、接続端子６３，６４における端子収容穴７１の開口部側の一端開口部よりも大きく形成されているため、各電線挿入孔２７から接続端子６３，６４の端面が露出する。従って、接続端子６３，６４を視認しつつ電線挿入孔２７から接続端子６３，６４内に電線９２を挿入することができるため、接続端子６３，６４内に電線９２を確実に挿入することが可能となり、接続端子６３，６４と電線９２との電気的な接続の信頼性が向上する。また、縒り線である電線９２を構成する全ての導線が接続端子６３若しくは接続端子６４内に収容されたか否かを目視により確認することができるため、電線９２を構成する導線の一部が接続端子６３若しくは接続端子６４からはみ出した状態となることを抑制することができる。
【００３２】
（３）各電線挿入孔２７は、その角部が円弧状に形成された隅丸四角形状をなしている。従って、各電線挿入孔２７の円弧状をなす角部に沿って各電線挿入孔２７内に電線９２を容易に挿入することができる。
【００３３】
（４）一般的に、ボディに設けられた電線挿入孔の大きさが、電線のみを挿入可能な大きさであると、電線の先端部において絶縁被膜が除去された部分の長さが短いと、電線挿入孔から挿入された電線の先端部が十分に接続端子内に挿入されず、電線と接続端子との接続不良が生じる虞がある。逆に、電線の先端部において絶縁被膜が除去された部分の長さが長いと、電線と接続端子を接続した状態において、電線における絶縁被膜が除去された部分が電線挿入孔からボディの外部に露出してしまう虞がある。そこで、本実施形態のように、電線挿入孔２７を、絶縁被膜９２ａごと電線９２を挿入可能な大きさとすると、電線９２の先端部において絶縁被膜９２ａが除去された部分の長さが短い場合であっても、電線９２の先端部を、電線挿入孔２７を介して接続端子６３，６４内に十分に挿入することが可能となる。従って、電線と接続端子との接続不良を低減させることができる。更に、電線９２の先端部において絶縁被膜９２ａが除去される部分の長さを短めに設定することにより、電線９２において絶縁被膜が除去された部分が電線挿入孔２７からボディ１２の外部に露出することが抑制される。
【００３４】
尚、本発明の実施形態は、以下のように変更してもよい。
・上記実施形態では、各電線挿入孔２７は、電線９２を絶縁被膜９２ａごと挿入可能な大きさに形成されている。しかしながら、各電線挿入孔２７は、接続端子６３，６４の一端開口部（接続端子６３，６４の一端部における内周縁）よりも大きく形成されるのであれば、絶縁被膜９２ａごと電線９２を挿入できない大きさ、即ち電線９２のみを挿入可能な大きさに形成されてもよい。また、各電線挿入孔２７は、電線９２を挿入可能な範囲の大きさであれば、接続端子６３，６４の一端開口部より小さく形成されてもよい。
【００３５】
・上記実施形態では、各電線挿入孔２７は、その四隅が円弧状をなす隅丸四角形状に形成されている。しかしながら、電線挿入孔２７の形状（ボディ１２を底部２６側から見た場合の形状）は、四隅が直角に形成された四角形状や、円形状等であってもよい。
【００３６】
・上記実施形態では、ボディ１２において、底部２６の上げ底部２６ａに電線挿入孔２７が形成されるとともに、下側の側壁２１ｄに螺子挿入孔２８が形成されている。しかしながら、底部２６の上げ底部２６ａに螺子挿入孔２８が形成され、下側の側壁２１ｄに電線挿入孔２７が形成されてもよい。この場合、端子台６５は、２つの端子収容穴７１の開口部がボディ１２の下側の側壁２１ｄ側を向くとともに２つの螺子挿通孔７３における端子収容穴７１と逆側の開口部が上げ底部２６ａ側を向くようにボディ１２内に収容される。このようにしても、上記実施形態の（１）の作用効果と同様の作用効果を得ることができる。
【００３７】
・上記実施形態では、電線挿入孔２７から端子収容穴７１内に挿入される電線９２は、縒り線である。しかしながら、電線挿入孔２７から端子収容穴７１内に挿入される電線９２は、単線（１本の導線）であってもよい。
【００３８】
・上記実施形態では、各調光器１は、一対の接続端子６３，６４（即ち２つの接続端子６３，６４）を備え、これら接続端子６３，６４に応じてボディ１２に一対の電線挿入孔２７（即ち２つの電線挿入孔２７）が形成されている。しかしながら、調光器１に備えられる接続端子６３，６４の数は、該調光器１に挿入される電線９２の数に応じて設定されればよく、３つ以上であってもよい。そして、ボディ１２に形成される電線挿入孔２７も、筐体１１内に収容される接続端子６３，６４の数に応じて、３つ以上形成されてもよい。更に、上記実施形態では、各調光器１は、各接続端子６３，６４に電線９２をそれぞれ接続すべく２つの螺子９１を備えているが、接続端子６３，６４の数に応じて３つ以上の螺子９１を備えてもよい。また、上記実施形態では、ボディ１２には１つの螺子挿入孔２８が形成され、この１つの螺子挿入孔２８から２つの螺子９１がボディ１２内に挿入される。しかしながら、螺子９１と同数の螺子挿入孔２８をボディ１２に形成し、各螺子挿入孔２８からそれぞれ螺子９１をボディ１２内に挿入してもよい。
【００３９】
・上記実施形態では、取付枠２に対し、３個の調光器１が固定されている。取付枠２には、最大３個まで調光器１を固定することが可能であるが、２個若しくは１個の調光器１を取付枠２に固定して使用してもよい。
【図面の簡単な説明】
【００４０】
【図１】化粧プレートが取着された取付枠に固定された調光器の正面図。
【図２】取付枠に固定された調光器の背面図。
【図３】調光器の分解斜視図。
【図４】（ａ）は調光器の側面図、（ｂ）は調光器の底面図、（ｃ）は調光器の背面図、（ｄ）は図４（ｃ）における部分拡大図。
【図５】（ａ）はボディの背面図、（ｂ）はボディの底面図。
【図６】調光器の回路図。
【図７】（ａ）は端子台及び該端子台に保持される接続端子及び螺子等の斜視図、（ｂ）及び（ｃ）は調光器における端子台付近の断面図。
【図８】従来の調光器を示す斜視図。
【符号の説明】
【００４１】
１１…筐体、２１ｄ…筐体の下面としての側壁、２６…筐体の背面としての底部、２７…電線挿入孔、２８…螺子挿入孔、３６…筐体の前面としての底部、４１…照明負荷としての白熱灯、４２…調光回路、４４…電源、５１…プリント基板としての第１プリント基板、５２…プリント基板としての第２プリント基板、５３…回路素子としての可変抵抗器、５４…回路素子としてのトライアック、５５…回路素子としてのコイル、５６…回路素子としての抵抗器、５７…回路素子としてのコンデンサ、５８…回路素子としてのダイアック、５９…回路素子としてのコンデンサ、６３，６４…接続端子、６７…操作つまみ、９１…螺子、９２…電線、９２ａ…絶縁被膜。
【図１】
0004900100.tif 000002
【図２】
0004900100.tif 000003
【図３】
0004900100.tif 000004
【図４】
0004900100.tif 000005
【図５】
0004900100.tif 000006
【図６】
0004900100.tif 000007
【図７】
0004900100.tif 000008
【図８】
0004900100.tif 000009